(57)【要約】【課題】  簡易な構成および制御で、燃焼不良を改善した乾留焼却炉の提供。【解決手段】  被焼却物を収容して乾留ガス化するためのガス化室２には、被焼却物に点火する着火バーナ１が設けられると共に、ガス化室２内に空気を供給するガス化空気路１３が炉床に接続される。ガス化空気路１３には、ガス化室２内に供給する空気量を調整するガス化空気ダンパ１４が設けられる。ガス化室２と連通して設けられる燃焼室４には、一定量燃焼する助燃バーナ３と、燃焼室４の温度を計測する燃焼室温度センサ２４とが設けられると共に、ガス化室２からの乾留ガスに空気を導入する燃焼空気路１９が接続される。燃焼室温度センサ２４の出力が設定範囲に収まるように、燃焼室温度センサ２４の出力による燃焼室４の温度とその変化勾配に基づき、一定時間毎に、駆動モータ１６の現在位置からの変位信号をこの駆動モータへ出力してガス化空気ダンパ１４が制御される。【選択図】      図１
2006038430.tif 000002
【特許請求の範囲】
【請求項１】
被焼却物を収容して乾留ガス化するガス化室（２）と、助燃バーナ（３）を有し、前記ガス化室（２）からの乾留ガスを燃焼させる燃焼室（４）と、前記ガス化室（２）内へ供給する空気量を調整するガス化空気量調整手段（１４）と、このガス化空気量調整手段（１４）の駆動モータ（１６）を前記燃焼室（４）温度に基づいて、前記燃焼室（４）温度が設定温度となるように制御する制御手段（７）とを備えた乾留焼却炉において、
前記制御手段（７）は、一定時間毎に、燃焼室（４）温度に基づき、前記駆動モータ（１６）の現在位置からの変位信号をこの駆動モータ（１６）へ出力する
ことを特徴とする乾留焼却炉。
【請求項２】
前記変位信号が、前記設定温度と前記燃焼室（４）温度との差と、前記燃焼室（４）温度変化勾配とに対して、予め設定した量である
ことを特徴とする請求項１に記載の乾留焼却炉。
【請求項３】
前記制御手段（７）は、前記駆動モータ（１６）の回転方向切替え時に、前記開閉部材（１４）の駆動用歯車の遊び分だけ余分に前記駆動モータ（１６）を駆動する
ことを特徴とする請求項１または請求項２に記載の乾留焼却炉。
【請求項４】
前記制御手段（７）は、前記開閉部材（１４）を前記ガス化空気路（１３）の閉鎖位置まで一旦戻した後、その戻し時間の設定割合だけ開くように前記駆動モータ（１６）を制御可能とされた
ことを特徴とする請求項１〜請求項３のいずれか１項に記載の乾留焼却炉。
【請求項５】
前記ガス化空気量調整手段は、前記ガス化空気路（１３）を構成する管体の開閉部材（１４）と、前記管体の一側端部まわりに前記開閉部材（１４）を回転させる駆動モータ（１６）とを備える
ことを特徴とする請求項１〜請求項４のいずれか１項に記載の乾留焼却炉。
【請求項６】
前記制御手段（７）は、前記助燃バーナ（３）を一定量で燃焼させると共に、前記燃焼室（４）へ一定量の空気を供給した状態で、前記駆動モータ（１６）を制御する
ことを特徴とする請求項１〜請求項５のいずれか１項に記載の乾留焼却炉。
【発明の詳細な説明】
【技術分野】
【０００１】
この発明は、廃棄物などの被焼却物を焼却処理するための焼却炉に関するものである。特に、被焼却物を乾留ガス化して、その乾留ガスを燃焼させる形式の乾留焼却炉に関するものである。
【背景技術】
【０００２】
従来、乾留焼却炉として、下記特許文献１に開示されるものが提案されている。なお、下記において、括弧書きの符号は、特許文献１中における符号である。
【０００３】
下記特許文献１に記載の発明は、廃棄物(3)を内部が外気から実質的に遮断された焼却炉(2)内に投入し、前記廃棄物(3)に着火して、前記焼却炉(2)内の酸素を前記廃棄物(3)が完全燃焼に至らない量に抑制しつつ前記廃棄物(3)の一部を自家燃焼させ、その燃焼熱により前記廃棄物(3)に含まれる有機物を乾留し、前記乾留により可燃性ガス(22)を生成し、その可燃性ガス(22)を燃焼室(26)にて燃焼させるものである。
【０００４】
具体的には、前記焼却炉(2)には、前記焼却炉(2)内に投入された廃棄物(3)に着火する着火装置(21)の他、開閉自在の廃棄物投入口(11)及び焼却物排出口(不図示)が設けられる。また、前記焼却炉(2)に接続した燃焼室(26)には、着火装置(31)が設けられ、この着火装置(31)は、燃焼室の中途部に設けられた温度センサ(28)に連係される制御装置(28')により制御される。さらに、燃焼室(26)の出口には、可燃性ガス(22)の燃焼温度を検出する温度センサ(35)が設けられ、この温度センサ(35)により前記焼却炉(2)および前記燃焼室(26)への供給空気量が同時に制御される。
【０００５】
すなわち、前記燃焼室(26)に接続して可燃性ガスを燃焼させる酸素を供給する燃焼室酸素供給装置(30)を設け、前記温度センサ(35)にて検出された可燃性ガスの燃焼温度に連係して前記燃焼室酸素供給装置(30)から前記燃焼室(26)内に供給される酸素の量を制御する燃焼室酸素供給量制御装置(35',35'')を設けている。さらに、前記焼却炉(2)内の底部へ酸素を供給する焼却炉酸素供給装置(10)を設け、前記温度センサ(35)の検出温度が所定温度以上の時には酸素の供給量を減少させ、所定温度以下の時には酸素の供給量を増大させるように、前記焼却炉酸素供給装置(10)から前記焼却炉(2)内に供給する酸素の量を制御する焼却炉酸素供給量制御装置(35''')を設けている。
【０００６】
また、特許文献１と同様な比例制御の焼却炉は、特開昭６１―２１７６１８号公報（特許文献２）にても知られている。
【０００７】
【特許文献１】特公平５−４６３９７号公報
【特許文献２】特開昭６１―２１７６１８号公報
【発明の開示】
【発明が解決しようとする課題】
【０００８】
しかしながら、これらの従来の比例制御の焼却炉では、ガス化空気量調整のためのダンパの駆動モータに対して、開度位置信号を出力して制御するものであるので、ダンパ位置を検出するセンサが必要となる。また、発明者らの研究開発の結果、この種乾留焼却炉においては、ガス化室への空気量を調整した後、燃焼室温度の変化が現れるのに時間を要すること、被焼却物の乾留化の態様により燃焼室温度の変化が一様ではないことから、比例制御のパラメータは一様ではなく市販の調節計のPID値設定は時々刻々変える必要があり、制御が困難であることが判明した。
【０００９】
また、これと関連して、前記特許文献１に記載の発明では、焼却炉や燃焼室への供給空気量を同時に調整するのでは、制御が困難で、燃焼不良を生じ易い。
【００１０】
この発明が解決しようとする課題は、簡易な構成および制御で、乾留ガスおよびその燃焼制御を応答性良く、確実に行える乾留焼却炉を提供することにある。
【課題を解決するための手段】
【００１１】
この発明は、前記課題を解決するためになされたもので、請求項１に記載の発明は、被焼却物を収容して乾留ガス化するガス化室と、助燃バーナを有し、前記ガス化室からの乾留ガスを燃焼させる燃焼室と、前記ガス化室内へ供給する空気量を調整するガス化空気量調整手段と、このガス化空気量調整手段の駆動モータを前記燃焼室温度に基づいて、前記燃焼室温度が設定温度となるように制御する制御手段とを備えた乾留焼却炉において、前記制御手段は、一定時間毎に、燃焼室温度に基づき、前記駆動モータの現在位置からの変位信号をこの駆動モータへ出力することを特徴としている。請求項１に記載の発明によれば、特に乾留工程において、前記ガス化空気量調整手段の位置検出センサを設けることなく制御でき、乾留制御装置を簡易なものとすることができると共に、時間遅れがあり変化の多様な燃焼室温度に基づいて乾留ガスおよびその燃焼制御を応答性良く、確実に行うことができる。
【００１２】
請求項２に記載の発明は、請求項１の構成要件に加えて、前記変位信号が、前記設定温度と前記燃焼室温度との差と、前記燃焼室温度変化勾配とに対して、予め設定した量であることを特徴としている。請求項２に記載の発明によれば、前記設定温度と前記燃焼室温度との差と、前記燃焼室温度変化勾配を加味して制御するので、より一層乾留ガスおよびその燃焼制御を応答性良く、確実に行うことができる。
【００１３】
請求項３に記載の発明は、請求項１または請求項２の構成要件に加えて、前記制御手段は、前記駆動モータの回転方向切替え時に、前記開閉部材の駆動用歯車の遊び分だけ余分に前記駆動モータを駆動することを特徴としている。請求項３に記載の発明によれば、前記開閉部材のバックラッシを考慮した開閉制御が可能であるから、乾留を安定して行うことができる。
【００１４】
請求項４に記載の発明は、請求項１〜請求項３のいずれか１項の構成要件に加えて、前記制御手段は、前記開閉部材を前記ガス化空気路の閉鎖位置まで一旦戻した後、その戻し時間の設定割合だけ開くように前記駆動モータを制御可能とされたことを特徴としている。請求項４に記載の発明によれば、前記開閉部材の絶対位置を検出するするセンサなどを用いなくても、簡易な構成で前記ガス化空気路の開閉制御が可能となる。
【００１５】
請求項５に記載の発明は、請求項１〜請求項４のいずれか１項の構成要件に加えて、前記ガス化空気量調整手段は、前記ガス化空気路を構成する管体の開閉部材と、前記管体の一側端部まわりに前記開閉部材を回転させる駆動モータとを備えることを特徴としている。請求項５に記載の発明によれば、前記開閉部材の一側端部に前記回転軸を配置することで、前記ガス化空気路の全閉が容易になり、乾留の制御を確実に行える。
【００１６】
請求項６に記載の発明は、請求項１〜請求項５のいずれか１項の構成要件に加えて、前記制御手段は、前記助燃バーナを一定量で燃焼させると共に、前記燃焼室へ一定量の空気を供給した状態で、前記駆動モータを制御することを特徴としている。請求項６に記載の発明によれば、ガス化室への空気量を独立して制御するので、制御が簡易で安定した焼却が可能である。
【発明の効果】
【００１７】
この発明によれば、簡易な構成および制御で、乾留ガスおよびその燃焼制御を応答性良く、確実に行うことの可能な乾留焼却炉を提供することができる。
【発明を実施するための最良の形態】
【００１８】
つぎに、この発明の実施の形態について説明する。
この発明の乾留焼却炉は、乾留ガス化方式および二次燃焼方式の焼却炉であり、着火手段を有するガス化室と、助燃バーナを有する燃焼室と、前記燃焼室の温度を計測する燃焼室温度センサとを主要部として備える。
【００１９】
前記ガス化室には、投入扉が開閉可能に設けられており、廃棄物などの被焼却物が投入され収容される。また、前記ガス化室には、収容された被焼却物に点火するための着火手段が設けられている。この着火手段は、前記ガス化室の前記投入扉や側壁などに設けられ、補助燃料を燃焼させるバーナが好適に用いられる。さらに、前記ガス化室には、前記着火バーナにて点火された前記被焼却物を燃焼（乾留を含む）させるために、前記ガス化室内に空気を導入するガス化空気路が接続されている。このガス化空気路を介した前記ガス化室内への空気供給は通常、前記ガス化室の炉床から行われる。さらに、前記ガス化室には、このガス化室内の温度を計測するガス化室温度センサが設けられる。
【００２０】
前記燃焼室は、前記ガス化室の上部や中央部と連通可能に設けられる。この際、典型的には前記燃焼室は、水平方向または垂直方向に配置される。前記燃焼室を水平に配置する場合には、前記ガス化室の上壁または側壁と、前記燃焼室の左右方向一端部とを接続する。一方、前記燃焼室を垂直に配置する場合には、前記ガス化室の側壁または上壁と、前記燃焼室の下端部とを接続する。このようにして、前記燃焼室は、一端部が前記ガス化室と連通して設けられる。そして、そのような燃焼室の他端部には、上方へ延出して排気筒（煙突）が設けられ、外気と連通される。さらに、前記燃焼室には、助燃バーナが設けられる。この助燃バーナは、補助燃料を燃焼させるものであり、前記燃焼室の前記一端部に設けられる。
【００２１】
前記燃焼室には、前記助燃バーナに近接して、前記ガス化室からの乾留ガスの導入部が設けられる。また、この導入部へ燃焼空気を導入するために、前記燃焼室には燃焼空気路が接続されている。このようにして、燃焼室の一端部には、助燃バーナに近接して、乾留ガスとその燃焼空気が導入され燃焼されるので、前記導入部を乾留ガスバーナと呼ぶこともできる。さらに、前記燃焼室には、この燃焼室内の温度を計測する燃焼室温度センサが設けられている。本実施形態では、この燃焼室温度センサは、前記燃焼室の出口付近に設けられる。ここで燃焼室の温度とは、燃焼室における燃焼反応がほぼ完結した燃焼ガス温度を意味する。
【００２２】
前記着火バーナ、前記ガス化空気路、前記助燃バーナ、および前記燃焼空気路には、送風機から空気が送り込まれる。本実施形態では、一つの共通の送風機から前記各所に、空気が供給可能とされている。この送風機から、前記着火バーナ、前記ガス化空気路、前記助燃バーナ、および前記燃焼空気路のそれぞれに送り込まれる空気量は、それぞれに設けられた空気量調整手段により調整される。
【００２３】
この各空気量調整手段としては、典型的にはダンパが使用される。これらのダンパは、駆動モータあるいはソレノイドなどの作動により弁体の開度を変更するものである。このダンパは、次のような構成のものとすることができる。すなわち、前記ガス化空気路や燃焼空気路または前記各バーナへの空気の配管に設けられ、管路の長手方向と垂直な回転軸まわりに回転可能に保持された板材からなる弁体としてもよい。
【００２４】
この際、特にガス化空気路のダンパは、前記回転軸を管状の弁箱内で板状の弁体の中央に配置したバタフライ式でもよいが、好ましくは、板状の弁体の一側端部に配置し管を蓋する片持ち式とする。本実施形態では、ガス化空気路のダンパは、片持ち式を採用している。乾留ガス化工程では、空気が少しでも漏れると燃焼異常を起こす虞があり、閉止特性が重要となるが、片持ち式によれば、管端に蓋をすることになり管路の全閉が確実かつ容易にできるので、乾留ガスの制御を確実に行える。また、片持ち式のダンパは、バタフライ式のダンパと比較して、回転に対する制御範囲はおよそ２０°くらいと狭いが回転角度に対する空気流量特性における直線性が開度の小さい範囲において優れているので、閉止特性および小流量域で精密な制御が必要な乾留ガス化制御には最適な特性を備えている。
【００２５】
前記各ダンパは、その弁体の開度を変更することで、その管路の流通空気量を調整するものである。従って、これら各ダンパの停止位置を調整することで、運転工程などに応じて、前記ガス化室、前記燃焼室、および前記各バーナへのそれぞれの送風量を変化させることができる。
【００２６】
また、本実施形態においては、前記送風機による空気の吐出圧（風圧，送風圧）は、ほぼ一定に保持可能に制御される。送風機の特性として、送風量を変えると風圧も変化するが、風圧をほぼ所定圧に保持しつつ、送風量を変化可能とする。そのために、前記送風機は、その回転数を制御可能なものが使用される。典型的には、インバータ制御にて回転数を制御可能な送風機が使用される。そして、前記送風機と前記各ダンパとの間の空間には、その空間内の圧力を計測する圧力センサが設けられており、その圧力センサの出力に基づき、前記送風機の回転数を制御可能としている。
【００２７】
前記ガス化室や前記燃焼室およびそれらに設けた各バーナへの送風量や風圧、および前記各バーナへの補助燃料の供給量、前記各バーナへの空気と補助燃料の供給を伴う前記各バーナの作動などは、制御手段（制御器）により制御される。具体的には、前記制御器は、前記各ダンパの停止位置をそれぞれ制御することで、前記着火バーナへの空気供給量、前記ガス化空気路を介した前記ガス化室への空気供給量、前記助燃バーナへの空気供給量、および前記燃焼空気路を介した前記燃焼室への空気供給量を変更可能である。また、前記制御器は、前記圧力センサの出力に基づき前記送風機の回転数をインバータ制御することで、前記送風機から前記各ダンパを通過させる空気の風圧を一定にすることができる。さらに、前記制御器は、燃料供給管に設けられたバルブを開閉制御することにより、前記各バーナへの補助燃料の供給量の切替を行う。
【００２８】
このような制御は、予め設定された手順（プログラム）に従い、前記ガス化室および前記燃焼室に設けた前記各温度センサ、および前記各ダンパと前記送風機との間に設けた前記圧力センサの出力、さらには前記制御器自身が把握する経過時間などを用いてなされる。
【００２９】
つぎに、前記乾留焼却炉を用いた典型的な焼却作業について説明する。この焼却炉は、被焼却物を順次投入して連続焼却するのではなく、バッチ処理により焼却を行うものである。つまり、最初にガス化室内へ被焼却物を投入収容した後、予熱工程、着火工程、乾留工程、おき火工程、およびポストパージ（冷却）工程の順に焼却処理がなされ、これら一連の工程が済むまでは、前記ガス化室に新たに被焼却物が投入されることはない。
【００３０】
ところで本実施形態では、前記助燃バーナは、その燃焼量を一定量に維持可能に燃焼を制御される。具体的には、前記燃焼室の全発熱量が所定状態に維持されるように、補助燃料の供給量が所望状態に維持されて燃焼状態が保持される。この際、本実施形態では、助燃バーナへの供給空気量を調整するダンパも、助燃バーナの運転時には一定状態に固定的に維持される。このような助燃バーナの一定量燃焼は、本実施形態では少なくとも乾留工程における助燃バーナの運転時に行われる。あるいは、乾留工程に加えて、着火工程やおき火工程においても、助燃バーナの一定量燃焼を行ってもよい。この場合、助燃バーナ用空気ダンパは、一定量に固定しておけばよく、その開度調整は不要となる。また、この助燃バーナは、高燃焼量と低燃焼量とを選択できるようにし、着火工程およびおき火工程において前記燃焼室温度の低下を防ぐ目的で高燃焼とし、乾留工程においては、被焼却物のガス化量を増加するために低燃焼とすることができる。
【００３１】
前記予熱工程は、ダイオキシン類を分解することができる温度以上に、早期に前記燃焼室温度が上昇するように予熱する工程である。そのために、まず、前記助燃バーナを作動させることにより、前記燃焼室内を設定された着火開始温度まで予熱する。つまり、前記燃焼室内で補助燃料を燃焼させることで、前記燃焼室内の温度を上昇させる。そして、燃焼室温度が所定の着火開始温度に到達すると、予熱工程の一環としても機能する着火工程へ移行する。
【００３２】
前記着火工程は、前記助燃バーナに加えて、前記着火バーナも運転を開始し、その炎で前記ガス化室内の被焼却物に着火する工程である。つまり、前記着火バーナにより補助燃料を燃焼させて前記被焼却物に着火する。この着火工程では、前記ガス化室へ所定量（廃棄物定格焼却能力の理論空気量以下（２０％程度が望ましい。））の空気を供給することで、ガス化室内の未燃廃棄物への着火域の広がりとガス化室発熱の増加による燃焼室温度上昇とを促進している。そして、乾留工程では、前記燃焼室は、ダイオキシン類を分解することができる温度以上（約８００℃以上）に保持するのがよいが、その温度まで早期に到達させ、且つ被焼却物への着火を確実にするために、本実施形態では、比較的早期に着火バーナが運転を開始し、しかも設定された燃焼室の着火終了温度まであるいは一定時間になるまで連続運転を継続する。この着火工程では、ガス化空気路および燃焼空気路の各ダンパは、所定状態で開かれた状態に維持される。
【００３３】
着火工程にて前記燃焼室内の温度が前記着火終了温度以上になるか、あるいは着火工程における運転時間が設定時間だけ経過すると、乾留工程へ移行する。この乾留工程への移行に伴い、前記着火バーナは作動を停止する。これ以降、前記着火バーナは、乾留ガスの発生を促す必要があるときに作動を再開する。具体的には、水分の多いゴミなどで燃焼室温度が十分上がらない場合に、前記ガス化室の温度を上げるために作動を再開することもある。
【００３４】
乾留とは、前記ガス化室内への供給空気量を制限した状態で、前記ガス化室内の前記被焼却物を加熱することにより、この被焼却物から乾留ガスを発生させることをいう。この乾留工程は、前記被焼却物を蒸し焼き状態で燃焼するものともいえる。そして、この乾留工程は、前記ガス化室内で乾留ガスを発生させながら、この発生した乾留ガスを前記燃焼室内で燃焼させ、さらにこの燃焼排ガスを前記排気筒上部から排出する工程である。この乾留工程にて安定的に乾留状態が維持される。
【００３５】
さらに具体的に説明すると、この乾留工程は、前記被焼却物をダイオキシン類の発生が少ない乾留ガス化方式にて焼却処理するものであり、前記ガス化室内で発生したダイオキシン類を前記燃焼室内で熱分解する工程である。しかも、前記燃焼室内の燃焼において発生するダイオキシン類も、前記燃焼室内を８００℃以上とすることにより、この燃焼室内で熱分解される。
【００３６】
乾留工程においては、前記助燃バーナは、その燃焼量が一定に維持されており、設定された燃焼停止温度に達しない限り作動を継続する。一般的に、燃焼室内で燃焼可能な被焼却物の燃焼量（＝焼却能力kg/h）は、（燃焼室容積m3×燃焼室負荷kcal/m3/h−助燃バーナの低位発熱量kcal/h）／被焼却物の低位発熱量（kcal／kg）と定義される。被焼却物や乾留ガスバーナ特性、燃焼室構造などにより燃焼室負荷は変わるが、燃焼室負荷は、一般的に採用される値は15万〜30万kcal/m3hでおおむね25万kcal／m3ｈである。この定義から、被焼却物の焼却時、燃焼室で燃焼可能な熱量は、「被焼却物の焼却熱量＋助燃バーナの低位発熱量」が一定値を取ることが分かる。燃焼室の可能全燃焼量とはこの値を指す。なお、燃焼室負荷は、前記の一般的な値に限定されるものではない。この発明の実施例においては、乾留バーナおよび燃焼室構造によるとガス化燃焼、燃焼室空気の予熱効果、燃焼室断熱効果などにより燃焼室負荷は300万kcal/m3hに達している。
【００３７】
本発明は、助燃バーナの燃焼量を、前記燃焼室の可能全燃焼量に対し約６０％〜５％，好ましくは、３０％〜２０％に設定される。助燃バーナの燃焼量が少ないほどゴミ焼却量が増えるが、少なくし過ぎると予熱能力あるいはおき火段階での加熱能力が低下し燃焼室温度が低下する。但し、前述のように助燃バーナを高燃焼または低燃焼と切り替え可能としてもよく、その場合でも乾留工程では低燃焼で一定に維持し、予熱工程およびおき火工程において、高燃焼と低燃焼とを燃焼室温度の変化に基づき制御することができる。
【００３８】
また、前記燃焼空気路の燃焼空気ダンパも所定状態に維持されて、前記燃焼室への供給空気量も所定量以上の一定に維持される。この所定量以上とは、当該焼却炉で燃焼させる被焼却物の最大焼却量に相当する必要な空気量（通常空気比１．５〜２程度）である。こうして前記助燃バーナの燃焼量および前記燃焼室への供給空気量を一定に維持しておくことで、乾留工程では、前記燃焼室の温度に基づき、前記ガス化室への供給空気量を調整するだけで、前記ガス化室における乾留ガスの発生と、その発生した乾留ガスの前記燃焼室における燃焼とを、安定して行うことができる。そのために、前記制御器は、前記燃焼室温度センサの出力に基づき、前記ガス化空気路のガス化空気ダンパの開度を調整する。
【００３９】
本実施形態におけるガス化空気ダンパの開度調整は、前記制御手段によりガス化空気ダンパの駆動モータに対して変位信号を出力することにより行われる。すなわち、本実施の形態においては、ガス化空気ダンパの位置センサを設けていない。この制御手段は、前記位置センサによる位置信号をフィードバックすることなく、一定時間毎に、（一定時間とはダンパが駆動後、実際に燃焼室温度が変化を開始するまでの時間遅れに相当する時間であり、この時間はダンパの開度は保持する。実施例では３０秒程度となる。）燃焼室温度に基づき、前記駆動モータの現在位置からの変位信号をこの駆動モータへ出力する。そして、前記変位信号は、前記燃焼室の温度と目標とする燃焼室の狙い温度（設定温度）との差（温度差）と、燃焼室温度の変化勾配（所定時間における温度変化率または温度変化割合ということもできる）とに対して予め定めた変位量である。
【００４０】
この実施の形態における変位量を具体的に説明する。目標とする設定温度を中心として、複数の温度範囲に区分すると共に、所定時間における温度変化のない場合を中心として、複数の温度変化勾配範囲に区分する。そして、それら燃焼室温度と温度変化勾配に応じて、ガス化空気ダンパの駆動量（変位量）をテーブルとして予め制御器に登録している。この際、温度が狙い温度から外れる程、また温度変化勾配が大きい程、前記ガス化空気ダンパの駆動量が大きくなるよう設定している。これにより、前記制御器は、前記燃焼室温度センサの出力に基づき、前記燃焼室の温度と、その変化勾配を一定時間（たとえば３０秒）毎に温度差と温度変化勾配を演算し、その結果に応じて前記テーブルを参照して変位量を求め、この変位量を前記駆動モータへ出力することにより、前記ガス化空気ダンパを開閉制御する。そして、前記ガス化空気ダンパの回転方向が切り替わる際には、その駆動用歯車のバックラッシ分だけ余分に前記駆動モータを駆動する必要がある。
【００４１】
前記乾留工程では、前記ガス化空気ダンパは、基本的に前記テーブルに基づき開度調整されるが、もし所定の上限温度を超える場合には、完全閉止位置に一旦戻し、燃焼室温度が前記設定温度になった時点で、元の開度の設定割合まで開くよう制御される。
【００４２】
前記駆動モータは、好ましくはシンクロナスモータを用いるが、トルクモータ、ステッピングモータなどを用いることもできる。この発明の実施の形態の制御方式によれば回転位置を指定するためのロータリエンコーダやポテンショメータなどの位置検出センサを備えないで、前記変位量が駆動時間（励磁時間と称することもできる）を与えるだけでよいので安価である。また、ロータリエンコーダやポテンショメータなどの位置決めセンサを備えたモータでこの発明の実施の形態の制御を行うことも可能である。その場合には、前記テーブルの駆動時間を位置決めセンサの変位量に換算した数値を与えることで同様の作動をおこなわせることができる。
【００４３】
また、前記駆動モータに位置決めセンサを用いない場合には、当然、その開閉位置の絶対座標を知ることは困難である。そこで、前記ガス化空気ダンパの開度を決定するために、前記ガス化空気ダンパを閉鎖位置まで一旦戻した後、その戻し時間の設定割合の時間だけ、または所定の設定時間だけ、前記駆動モータを作動させることで対処している。
【００４４】
前記乾留工程の前記制御により、乾留が安定して行われるが、乾留の進行に伴い、燃焼室温度を所定に維持できず低下してくる。このようにして、乾留が不十分な状況で燃焼室温度が低下する場合に備えるために所定の最低乾留工程時間が経過し、かつ設定された移行温度まで燃焼室の温度が低下した後、おき火工程へ移行する。
【００４５】
前記おき火工程は、乾留ガスが発生した残りの前記被焼却物（炭化した状態の前記被焼却物）を置火（いわゆる「おき」）の状態で燃焼させる工程である。このおき火工程においても、前記助燃バーナは、補助燃料を燃焼させる。また、ガス化空気ダンパは、原則として一定開度を維持し、燃焼空気ダンパは、原則としておき火燃焼量に対応したしぼった状態に維持される。そして、このおき火工程においても、前記乾留工程のときと同様、前記燃焼室からの燃焼排ガスは、前記排気筒から排出される。そして、このようなおき火工程が設定時間経過するか、あるいはガス化室温度が設定温度まで低下すると、おき火工程を終了し、ポストパージ工程へ移行する。
【００４６】
前記ポストパージ工程は、前記ガス化室および前記燃焼室を冷却する工程である。このポストパージ工程においては、前記両バーナをともに停止させ、前記ガス化空気路および前記燃焼空気路などから空気を供給して、前記ガス化室および前記燃焼室を冷却する。そして、所定時間に亘る前記ポストパージ工程が終了するか、前記ガス化室内の温度が所定温度以下になると、前記ガス化室内に残った未燃物（灰など）を取り出し、焼却処理を終了する。
【実施例】
【００４７】
以下、この発明の具体的実施例を図面に基づいて詳細に説明する。
図１は、本発明の乾留焼却炉の一実施例の概略構成を示す説明図である。本実施例の乾留焼却炉は、乾留ガス化方式および二次燃焼方式により、廃棄物などの被焼却物を焼却処理する装置である。本実施例の乾留焼却炉は、着火バーナ１を有し被焼却物（不図示）を収容するガス化室２と、助燃バーナ３を有しガス化室２内に収容した被焼却物から発生させた乾留ガスを燃焼させる燃焼室４と、この燃焼室４からの燃焼排ガスを装置外へ排出する排気筒５と、ガス化室２や燃焼室４およびそれらに設けた前記各バーナ１，３に空気を供給する送風機６と、前記各バーナ１，３および前記送風機６などを制御する制御器７を主要部として備える。
【００４８】
ガス化室２は、被焼却物を収容するように、たとえば角型状に形成されている。本実施例のガス化室２には、正面の上下に、被焼却物の投入扉８と焼却後の灰出し扉９とが開閉可能に設けられており、側面に、着火バーナ１が設けられている。この着火バーナ１には、補助燃料が供給可能とされ、その給油ライン（不図示）に設けた電磁弁（不図示）などを介して、その補助燃料が供給される。そして燃焼量は、各バーナ１，３のノズルにより略決定される。
【００４９】
本実施例の着火バーナ１は、ガス化室２の中央部よりやや下方に配置されており、先端部をガス化室２内へ向けて横向きに設けられている。この着火バーナ１には、送風機６に接続される着火バーナ空気路１０を介して、送風機６からの空気が供給可能とされている。そして、その着火バーナ空気路１０には、着火バーナ１の手前に着火バーナダンパ１１が設けられており、着火バーナ１への供給空気量を調整可能である。本実施例の着火バーナダンパ１１は、ソレノイドにより弁体の上下位置を変更して開度を調整するものである。
【００５０】
また、ガス化室２には、ガス化室２内の温度を計測するためのガス化室温度センサ１２が設けられる。本実施例のガス化室温度センサ１２は、ガス化室２の排ガス出口部付近に設けられる。さらに、ガス化室２内には、ガス化室２内に空気を導入するガス化空気路１３が接続されている。このガス化空気路１３は、送風機６からの空気をガス化室２の炉床からガス化室２内に導入するものであり、その管路には、ガス化空気ダンパ１４が設けられている。
【００５１】
図２および図３は、本実施例のガス化空気ダンパ１４の構成を示す図であり、図２は概略断面図、図３は概略斜視図である。これらの図に示すように、本実施例の板材からなるガス化空気ダンパ１４は、管路（ガス化空気路）１３の中途に設けたボックス２６内に配置され、前記管路１３の長手方向と垂直な回転軸１５まわりに、駆動モータ１６により回転可能とされた板材からなる。このガス化空気ダンパ１４は、前記ボックス２６内において、ガス化空気路１３を構成する管体の端面に蓋をするよう当接する位置まで閉鎖可能である。
【００５２】
前記駆動モータ１６は、励磁時間に比例した回転角度を得ることができるモータ、たとえばシンクロナスモータとする。前記回転軸１５は、前記板材（ガス化空気ダンパ）１４の一側端部に配置されている。そして、駆動モータ１６の回転が、ギアボックス２７内に収容された減速歯車（不図示）を介して回転軸１５に伝達されることで、ガス化空気ダンパ１４が回転される。前記回転軸１５の回転角度を制御して、ガス化空気ダンパ１４の停止位置を調節することで、ガス化空気路１３からガス化室２へ供給する空気量を調整できる。このような片持ち式のガス化空気ダンパ１４は、ガス化空気路１３の全閉を容易にし、乾留ガスの制御を確実にできる。
【００５３】
ガス化室２の上部には、燃焼室４が接続される。本実施例の燃焼室４は、水平に配置された細長い円筒状とされており、その一端部（基端部）の周側壁にガス化室２が接続される。図４は、本実施例の燃焼室４を示す概略断面図であり、ガス化室２が接続される基端部を示している。燃焼室４の基端部には、助燃バーナ３が設けられる。この助燃バーナ３には、油ポンプ（不図示）により油圧をかけて補助燃料が供給可能とされ、その補助燃料の供給量はノズルチップ２８で略一定とされている。また、この助燃バーナ３には、助燃バーナ空気路１７を介して送風機６からの空気が供給される。そして、その助燃バーナ空気路１７には、助燃バーナ３への供給空気量を決定する助燃バーナダンパ１８が設けられている。本実施例の助燃バーナダンパ１８は、助燃バーナ空気路１７の管路の長手方向と直角方向に配置された回転軸まわりに回転可能に設けられた板材からなる。従って、その回転停止位置を調整することで、助燃バーナ３への供給空気量を調整することができるが、本実施例では所定の開度に固定される。
【００５４】
さらに、燃焼室４には燃焼空気路１９が接続される。この燃焼空気路１９は、ガス化室２からの乾留ガスを助燃バーナ３にて燃焼させるために、乾留ガスに空気を混合するためのものである。本実施例では、燃焼室４は、内筒２０と外筒２１とから二重の円筒状に形成されており、その二重の筒体２０，２１間の隙間が、燃焼空気路１９の末端部として利用される。この場合、二重の筒体２０，２１は、燃焼室４の壁を構成し、内筒２０内が燃焼室４として機能する。
【００５５】
送風機６からの燃焼空気は、燃焼空気ダンパ２２を介して、前記二重の筒体２０，２１の先端部へ供給される。そして、その供給された空気は、内外の筒体２０，２１間の隙間を介して、その基端部へ導かれ、内筒２０の基端部に配置したバーナ筒２９内に供給される。さらに、内筒２０の基端部のバーナ筒２９には、ガス化室２からの乾留ガスも供給され、助燃バーナ３により乾留ガスを燃焼させる乾留ガスバーナ２３が構成される。
【００５６】
この乾留ガスバーナ２３について、さらに具体的に説明する。図４に示すように、燃焼室４を構成する内筒２０の基端部には、内筒２０よりも小径の円筒形状のバーナ筒２９が同軸上に配置されている。バーナ筒２９の基端部には、フランジ３０が設けられ、このフランジ３０に外筒２１の基端部が接合されて、バーナ筒２９と外筒２１との間の円筒状空間は、外筒２１の基端部において閉塞されている。これと同様に、図示していないが、内筒２０と外筒２１との間の円筒状空間は、外筒２１の先端部において閉塞されている。
【００５７】
円筒状のバーナ筒２９には、その周側壁に複数個の第一開口３１，３１…が、周方向および軸方向に貫通形成されている。また、バーナ筒２９の先端部には、径方向外側へ延出してツバ部３２が形成されており、このツバ部３２の外周縁が、内筒２０の基端部の内周面に当接されている。そして、このツバ部３２にも、周方向に等間隔に複数個の第二開口３３が貫通形成されている。さらにツバ部３２の外周縁と内筒２０の内周面との間に僅かに隙間を空けて配置し、その隙間を第二開口３３としてもよい。
【００５８】
バーナ筒２９は、内筒２０の基端部から延出して配置されるが、その延出部に貫通形成された開口にガス化室２との接続管３４が設けられる。これにより、ガス化室２からの乾留ガスは、接続管３４を介してバーナ筒２９内へ導入される。また、外筒２１の先端部の周側壁に形成した開口（不図示）から供給される燃焼空気は、外筒２１と内筒２０との隙間を通って、外筒２１とバーナ筒２９との隙間へ導かれる。そして、その燃焼空気は、バーナ筒２９の周側壁に形成された第一開口３１や、ツバ部３２に形成された第二開口３３を介して、バーナ筒２９や内筒２０内へ導入される。バーナ筒２９の基端部には、先端側へ向けて助燃バーナ３が設けられているので、前記バーナ筒２９内へ供給された乾留ガスおよび燃焼空気は、混合して助燃バーナ３の火炎により着火され、燃焼室４（内筒２０）内で燃焼可能である。
【００５９】
ところで、前記二重の筒体２０，２１に空気が流れることにより、燃焼室４の冷却を図ることができる。また、筒体２０の内面にセラミックファイバー製の円筒体３５を挿入することで、断熱している。これにより、燃焼室温度の上昇を可能とし、また筒体２０，２１の冷却を行うことができ、二重の効果を発揮する。
【００６０】
上述したように、燃焼室４の基端部には、助燃バーナ３が設けられており、燃焼空気路１９からの空気が助燃バーナ３の近傍に流入することで、助燃バーナ３からの混合気と乾留ガスの混合が均等かつ良好となり、燃焼性が向上する。しかも、助燃バーナ３の近傍は、ガス化室２と燃焼室４との接続部でもあるので、乾留ガスに空気を効果的に混合することができる。
【００６１】
燃焼室４の先端部には、円筒状の排気筒５が上方へ延出して設けられる。そして、この排気筒５の下端部で、且つ前記燃焼室４の先端部と対面した周側壁には、図１に示すように、燃焼室出口の温度を計測する燃焼室温度センサ２４が設けられる。
【００６２】
前記送風機６は、前記着火バーナ１、前記ガス化空気路１３、前記助燃バーナ３、および前記燃焼空気路１９に共通的に空気を送り込むファンである。本実施例の送風機６は、インバータ制御にて送風圧が一定となるように回転数を制御可能としている。そして、前記送風機６と前記各ダンパ１１，１４，１８，２２との間の空間には、その空間内の圧力を計測する圧力センサ２５が設けられており、その圧力センサ２５の出力に基づき、前記送風機６の回転数を制御可能としている。
【００６３】
前記制御器７は、前記ガス化室２や前記燃焼室４およびそれらに設けた各バーナ１，３への送風量や風圧、および前記各バーナ１，３への補助燃料の供給などを制御する。具体的には、前記各ダンパ１１，１４，２２の駆動手段をそれぞれ制御することで、前記着火バーナ１への空気供給量、前記ガス化空気路１３を介した前記ガス化室２への空気供給量、および前記燃焼空気路１９を介した前記燃焼室４への空気供給量を変更できる。但し、本実施例では、助燃バーナダンパ１８は、所定状態に固定されているので、助燃バーナ３の作動時には一定量の空気が助燃バーナ３に供給される。
【００６４】
また、前記制御器７は、前記圧力センサ２５の出力に基づき前記送風機６の回転数をインバータ制御することで、前記送風機６から前記各ダンパ１１，１４，１８，２２へ送る空気の風圧を一定にすることができる。さらに、前記各バーナ１，３への補助燃料の供給は、給油ライン（不図示）に設けられた前記電磁弁（不図示）を開閉制御することでなされる。
【００６５】
このような制御は、予め設定された手順（プログラム）に従い、ガス化室２および燃焼室４（排気筒５）に設けた各温度センサ１２，２４、および圧力センサ２５の出力、さらには制御器７自身が把握する経過時間などを用いてなされる。この制御器７による工程制御は、前記温度センサ２４による温度制御を基本とし、これに時間制御を付加したものとしている。
【００６６】
つぎに、本実施例の乾留焼却炉の運転について説明する。まず、乾留焼却炉の運転開始に際し、投入扉８を開けて被焼却物をガス化室２内へ投入し、投入扉８を閉めて被焼却物をガス化室２内に収容する。つぎに、あらかじめ決められたプログラムに従い、制御器７により被焼却物の焼却処理がなされる。具体的には、つぎに述べるような基本的焼却作業が通常行われる。
【００６７】
この基本的焼却作業は、バッチ処理であり、このバッチ処理は、図５に示すように、プレパージ工程、予熱工程、着火工程、乾留工程、おき火工程、およびポストパージ工程とからなる。そして、これら作業中には、送風機６を作動させるが、ガス化室２や燃焼室４への各供給空気量は、それぞれに設けたダンパ１４，２２の停止位置を調節することで設定される。その際、圧力センサ２５の出力に基づいて、送風機６の回転数を制御することで、所定の風圧で空気を供給できる。したがって、各工程において所望の送風量を安定して供給することができる。
【００６８】
プレパージ工程は、各バーナ１，３を停止した状態で燃焼空気ダンパ２２のみを開けて、燃焼空気路１９から燃焼室４内へ空気を送り込むことで、ガス化室２および燃焼室４内の空気を外部へ排出して、安全確保を図る工程である。所定時間だけプレパージ工程を継続した後、予熱工程へ移行する。
【００６９】
予熱工程は、ダイオキシン類を分解することができる温度以上に、燃焼室内を予熱する工程である。より早く温度を上昇させるために、まず、ガス化空気ダンパ１４と燃焼空気ダンパ２２を閉じた状態で、助燃バーナ３のみを作動させて、燃焼室４内で補助燃料を燃焼させることにより、設定された着火開始温度まで燃焼室４内を予熱する。本実施例では、助燃バーナ３には、所定の補助燃料および空気が一定供給され、燃焼室４内の温度を６００〜７００℃まで予熱する。燃焼室４内の温度が着火開始温度以上になると、予熱工程と並行して着火工程が開始される。
【００７０】
着火工程は、助燃バーナ３に加えて、着火バーナ１も運転を開始し、その炎でガス化室２内の被焼却物に着火する工程であり、本実施例では予熱工程の一環としても機能する工程である。つまり、ガス化室２内で補助燃料を燃焼させ、しかも前記被焼却物に着火しガス化室に一定の送風量を加えることで廃棄物の発熱を燃焼室の温度上昇に加えて迅速に、燃焼室温度を設定された着火終了温度まで上昇させる。ここでは、着火終了温度として９００℃を設定しており、その着火終了温度になるか、あるいは、設定時間だけ着火バーナ１を連続的に作動させた後、着火工程および予熱工程を終了し乾留ガス化工程へ移行する。この着火工程は、被焼却物に確実に着火させて乾留に至らせるためのための工程でもある。この着火工程においては、ガス化空気ダンパ１４および燃焼空気ダンパ２２は、所定状態に開かれた状態に維持される。
【００７１】
ここで、ガス化空気ダンパ１４は、本実施例ではその駆動モータとして一定時間駆動した量分の回転移動量が得られる駆動モータ（たとえばシンクロナスモータ）を使用しており、前記プレパージ工程にて閉止位置まで戻してリミットスイッチなどで原点確認を行っているので、その閉止位置から設定時間だけ励磁して、所望の開放位置に維持すればよい。
【００７２】
乾留工程に入ると、着火バーナ１の作動を停止する。これ以降、着火バーナ１は、乾留ガスの発生を促す必要があるとき作動を再開される。つまり、着火バーナ１は、乾留の状況に応じて作動と停止が調整される。具体的には、着火バーナ１は、乾留ガスの発生が少なくなり、燃焼室４内の温度が８００℃以下になると作動を再開して、被焼却物を加熱することにより乾留ガスの発生を促す。そして、燃焼室４内の温度が８２０℃になると停止する。但し、このような着火バーナ１の作動は、乾留工程の前半に一定時間のみ行われる。
【００７３】
乾留工程において、助燃バーナ３は、一定の燃焼量で作動を継続する。但し、燃焼室温度が燃焼停止温度（ここでは１１００℃）を越えると、停止するよう制御する。また、乾留工程中、燃焼室４には継続して、燃焼空気路１９から乾留ガスの焼却量に対応する一定量の燃焼空気が供給される。一方、ガス化空気路１３を介したガス化室２への空気供給は、燃焼室温度センサ２４による燃焼室温度に基づき、ガス化空気ダンパ１４を自動調整することでなされる。
【００７４】
乾留工程中、助燃バーナ３の火炎と、ガス化室２からの乾留ガス、および燃焼空気路１９からの燃焼空気が、乾留ガスバーナ２３（助燃バーナと乾留ガスと燃焼用空気とを含む部分）において混合し、燃焼室４内に燃焼火炎が形成される。この燃焼室の出口に配置された燃焼室温度センサ２４は、燃焼室４に充満する火炎の先端温度を検出し、その温度を一定にするようガス化空気ダンパ１４の開度調整をすることで、燃焼室４の最大燃焼量にごみ燃焼量を調整することになる。
【００７５】
乾留工程中、ガス化空気路１３からガス化室２内への空気供給量は、被焼却物の燃焼量に必要とする理論空気量以下（空気比0.1〜0.2）に制限される。これにより、被焼却物を蒸し焼き状態とし、被焼却物から乾留ガスが発生する。もし、供給空気量を増やすと乾留ガス化量が増加し、場合によっては一定の燃焼空気では空気不足となり、黒煙の発生につながることもある。逆にガス化室２への供給空気量が少ないと、乾留ガス化量が減少し、焼却が遅れることになる。そこで、本実施例では、次に述べるように、ガス化空気ダンパ１４を燃焼室温度が一定になるようにガス化空気ダンパ１４の開度を自動調整する。
【００７６】
本実施例のガス化空気ダンパ１４の開度自動調整は、燃焼室温度センサ２４により認識される現在の燃焼室温度Ｔとその変化勾配Ｘに基づき行われる。その際、図６に示されるテーブルが使用される。つまり、乾留中の狙い温度を中心に複数の温度範囲を設定する。この狙い温度は、Ｔ２とＴ３との間の幅の中央値を意味する。図６では、Ｔ１℃以上、Ｔ１〜Ｔ２℃、Ｔ２〜Ｔ３℃、Ｔ３〜Ｔ４℃、Ｔ４℃未満の五つの領域を設定した。また、温度変化勾配（単に温度勾配と称することもできる）Ｘは、現在と所定時間ｔ１秒前（たとえば１０秒前）との温度差により求め、その値がｔ２（ｔ１よりも小さい）秒以上温度変化勾配比較値（ここではＸａ℃／sec、Ｘｂ℃／sec、−Ｘｃ℃／sec、または−Ｘｄ℃／sec）を超えるかにより、いずれの温度変化勾配区分に属するかを判定する。図６では、温度変化勾配区分として、Ｘａ℃／sec以上、Ｘｂ〜Ｘａ℃／sec、Ｘｂ〜−Ｘｃ℃／sec、−Ｘｃ〜−Ｘｄ℃／sec、−Ｘｄ℃／sec未満の五つを設定した。
【００７７】
そして、その燃焼室温度Ｔと温度変化勾配Ｘに応じて、ガス化空気ダンパ１４の駆動用シンクロナスモータの励磁時間を割り当てている。この励磁時間は、燃焼室温度が狙い温度から外れる程、また温度変化勾配が大きい程、長い時間になるように設定される。図６のテーブルにおける数値（ショット数ｎｉｊ（i=1〜5,j=a〜e））に、所定の秒数を掛け算して励磁時間が設定される。本実施例ではショット数ｎｉｊに、整数値（０を含む）を割り当てている。図６において、ｎｉｊがマイナスのショット数の場合（この場合図６では−ｎｉｊと表示）は、ガス化空気路１３を閉める方向に、ガス化空気ダンパ１４を駆動する場合を示している。逆に、プラスのショット数の場合は、ガス化空気路１３を開ける方向に、ガス化空気ダンパ１４を駆動する場合を示している。通常、図６においてショット数は、左上（ｎ１ａ）へ行くほど大きなマイナス値に設定され、右下（ｎ５ｅ）へ行くほど大きなプラス値に設定される。
【００７８】
たとえば、あるｎｉｊが−３の場合、所定時間の３倍の時間だけ駆動モータ１６を励磁して、ガス化空気ダンパ１４を閉める方向に作動することになる。このような制御は、所定の周期で行われるが、燃焼室温度が前記テーブルの上下限温度に達した場合（Ｔ１℃以上またはＴ４℃以下）や、温度変化勾配Ｘが逆になった場合には、直ちに駆動モータ１６を制御するようにしてもよい。また、駆動モータ１６の回転方向が切り替わる際には、前記ギアボックス２７内の減速用歯車（不図示）のバックラッシを考慮して、その分だけ余分に前記駆動モータ１６を駆動する。
【００７９】
このようにして、基本的には、図６のテーブルに従った制御がなされるが、設定された上限温度（Ｔ４℃より高温に設定）を超えると、ガス化空気ダンパ１４を一旦閉止位置に戻し、燃焼室温度が前記狙い温度になった時点で、前記閉止する直前の元の開度の設定割合（たとえば８０％）まで開くよう制御される。この制御は、ガス化空気ダンパ１４を一旦閉止位置まで戻す際、その戻し時間を計測しておき、その時間の設定割合だけ駆動モータを励磁して開くよう制御すればよい。
【００８０】
このようにして、乾留工程では、ガス化室２内で乾留ガスを発生させながら、この乾留ガスを燃焼室４内で燃焼させる。その燃焼排ガスは、排気筒５より大気中へ排出される。この乾留工程においては、被焼却物をダイオキシン類の発生が少ない乾留ガス化方式にて焼却処理できる。その際、ガス化室２内で発生したダイオキシン類も、燃焼室４内で熱分解することができる。さらに、燃焼室４内の燃焼において発生したダイオキシン類も、燃焼室４内で熱分解することができる。
【００８１】
前記乾留工程の前記制御により、乾留が安定して行われるが、乾留の進行に伴い、ガス化量が減少し、燃焼室温度を所定に維持できず低下してくる。このようにして、所定の最低乾留工程時間が経過し、設定された移行温度（７５０℃）まで燃焼室４の温度が低下した後、おき火工程へ移行する。このおき火工程は、乾留ガスが発生した残りの被焼却物，すなわち炭化した状態の被焼却物をおき火の状態（いわゆる「おき」の状態）で燃焼させる工程である。
【００８２】
このおき火工程において、助燃バーナ３のみを作動させる。このおき火工程においても、乾留工程のときと同様、燃焼室４からの燃焼排ガスは、排気筒５を介して大気中へ排出される。ところで、おき火工程においては、ガス化空気ダンパ１４は原則として灰化に必要な設定開度を維持し、燃焼空気ダンパ２２は原則としておき火の被焼却物の焼却量に対応したしぼった一定の開度を維持する。
【００８３】
おき火工程の進行に伴い、被焼却物が燃え尽きるので、徐々にガス化室内の温度は低下する。そして、ガス化室２内の温度が所定温度，たとえば３５０℃以下になるか、設定時間の経過により、被焼却物がほぼ燃焼し尽くしたと判断されるので、ポストパージ工程へ移行する。
【００８４】
ポストパージ工程は、ガス化室２および燃焼室４を冷却する工程である。このポストパージ工程においては、両バーナ１，３をともに停止させ、ガス化空気路１３や燃焼空気路１９などから空気を導入することにより、ガス化室２および燃焼室４を冷却する。そして、設定時間に亘るポストパージ工程が終了すると、送風を停止し、焼却処理を終了する。
【００８５】
本実施例によれば、特に乾留工程において、助燃バーナ３の燃焼量は小さく保持した状態で、ガス化空気ダンパ１４を調整することでガス化量を一定に維持するようにして、燃焼室４の最大燃焼量に調整するので、助燃バーナ３の燃料の節約ができる。また、燃焼室温度とガス化室温度により適正な焼却工程を進行することができるので、従来のタイマーなどで設定する場合のように被焼却物の量や質によって工程時間を変化させる必要がなくなり、完全自動焼却が可能となる。さらに、従前は、ガス化空気ダンパは複数段の切替制御を行っており、それでは工程の切替時に急激にガス化空気量が変動するので、発煙などを発生し易かったが、本実施例によれば、無段階的に制御を行うので、安定した燃焼を可能とする。
【００８６】
なお、本発明の乾留焼却炉およびその運転方法は、上記実施例の構成に限らず、適宜変更可能である。特に、図６のテーブルにおいて、燃焼室温度および温度変化勾配の分け方は、適宜に変更可能である。また、上記実施例において記載した各温度は、一例であることは言うまでもない。
【図面の簡単な説明】
【００８７】
【図１】本発明の乾留焼却炉の一実施例の概略構成を示す説明図である。
【図２】図１の乾留焼却炉のガス化空気ダンパの構成を示す概略断面図である。
【図３】図１の乾留焼却炉のガス化空気ダンパの構成を示す概略斜視図である。
【図４】図１の乾留焼却炉の乾留ガスバーナを示す概略断面図である。
【図５】図１の乾留焼却炉の基本的燃焼作業工程を示すフローチャートである。
【図６】図５の乾留工程におけるガス化空気ダンパの制御用テーブルの一例を示す図である。
【符号の説明】
【００８８】
１  着火手段（着火バーナ）
２  ガス化室
３  助燃バーナ
４  燃焼室
５  排気筒
６  送風機
７  制御手段（制御器）
１２  ガス化室温度センサ
１３  ガス化空気路
１４  ガス化空気ダンパ（ガス化空気量調整手段）
１９  燃焼空気路
２３  乾留ガスバーナ
２４  燃焼室温度センサ
２５  圧力センサ 
【図１】
2006038430.tif 000003
【図２】
2006038430.tif 000004
【図３】
2006038430.tif 000005
【図４】
2006038430.tif 000006
【図５】
2006038430.tif 000007
【図６】
2006038430.tif 000008